(57)【要約】      （修正有）【課題】製造が容易かつ簡素な構成で、浸入した水滴を確実に除去することができる商品払い出し箱を有する自動販売機を提供する。【解決手段】自動販売機に設置された商品払い出し部１６０は、商品取り出し部底板１４０に複数の排水孔１７０が形成されている。複数の排水孔１７０は、商品取り出し部底板１４０の上側の全囲に断面略円弧状の排水孔面取り部１７１が形成され、下側には下方に突出する排水孔筒状部１７２が形成されている。そして、排水孔筒状部１７２の下端に当接する吸水シート１８０が配置されている。【選択図】図５
2009140131.tif 000002
【特許請求の範囲】
【請求項１】
内部に商品を収納した筐体と、
該筐体の前面に設けられた商品取り出し口と、
該商品取り出し口の内側に設けられた上方が開口している商品払い出し部と、
前記商品を前記商品払い出し部に搬送する搬送手段と、
を有する自動販売機であって、
前記商品払い出し部の底板に、上側の全囲に断面略円弧状の面取りが形成された排水孔が、設けられていることを特徴とする自動販売機。
【請求項２】
前記排水孔が、前記底板の下側に突出する筒状部を有することを特徴とする請求項１記載の自動販売機。
【請求項３】
前記筒状部が、バーリング加工によって形成されることを特徴とする請求項２記載の自動販売機。
【請求項４】
前記商品払い出し部の底板の下側に、少なくとも前記排水孔を覆う吸水シートが配置されていることを特徴とする請求項１乃至３の何れかに記載の自動販売機。
【請求項５】
前記筒状部の下端に当接する吸水シートが配置されていることを特徴とする請求項２または３記載の自動販売機。
【発明の詳細な説明】
【技術分野】
【０００１】
本発明は、複数の商品、特に、缶、ビン、パック、ペットボトル等の容器に入れた商品の販売に供する自動販売機に関する。
【背景技術】
【０００２】
自動販売機は、内部に所定の商品を収納して、利用者が指定した商品を自動的に販売するものである。このとき、自動販売機は金銭の投入を確認した後、指定された商品を商品払い出し部に払い出し（搬送し）、利用者は商品取り出し口から商品払い出し部に手を入れて、当該商品を取り出すものである。
そして、商品払い出し部に払い出された商品が、外部から侵入した雨水によって濡れないように、雨水対策等の機能改善が図られた自動販売機が開示されている（例えば、特許文献１参照）。
【０００３】
【特許文献１】特開平１０−２５５１２９号公報（第４−５頁、図１）
【発明の開示】
【発明が解決しようとする課題】
【０００４】
前記特許文献１に開示された自動販売機は、商品取り出し口に備えられた取り出し口フラッパが、エッジ部を具備する断面略ｈ字状に形成されている。そのため、取り出し口フラッパの外表面を伝わって落ちる雨水の水滴は、エッジ部において外部に滴下し、商品取り出し口の内側に配置された商品払い出し部の内部に浸入しない構造になっている。
しかしながら、自動販売機の内部において結露した水滴が商品払い出し部の内部に浸入した場合、これを除去することが困難であるという問題があった。すなわち、通常、商品払い出し部の底板には複数の排水孔が打ち抜き加工（ブランキング）によって、内径１０ｍｍ以下の小径に形成されている。このため、排水孔に到達した水滴は表面張力によって排水孔を塞ぎ、下方に膨出するだけであって、排水孔を通過して下方に流れ出すことがない。そうすると、商品払い出し部の底板に貯まった水は、排水孔の周囲を流れるに止まることになる。
【０００５】
本発明は上記問題に応えるものであって、製造が容易かつ簡素な構成で、浸入した水滴を確実に除去することができる商品払い出し部を有する自動販売機を提供することを目的とする。
【課題を解決するための手段】
【０００６】
（１）本発明に係る自動販売機は、内部に商品を収納した筐体と、
該筐体の前面に設けられた商品取り出し口と、
該商品取り出し口の内側に設けられた上方が開口している商品払い出し部と、
前記商品を前記商品払い出し部に搬送する搬送手段と、
を有する自動販売機であって、
前記商品払い出し部の底板に、上側の全囲に断面略円弧状の面取りが形成された排水孔が、設けられていることを特徴とする。
【０００７】
（２）前記（１）において、前記排水孔が、前記底板の下側に突出する筒状部を有することを特徴とする。
（３）前記（２）において、前記筒状部が、バーリング加工によって形成されることを特徴とする。
【０００８】
（４）前記（１）乃至（３）の何れかにおいて、前記商品払い出し部の底板の下側に、少なくとも前記排水孔を覆う吸水シートが配置されていることを特徴とする。
（５）前記（２）または（３）において、前記筒状部の下端に当接する吸水シートが配置されていることを特徴とする。
【発明の効果】
【０００９】
（ｉ）本発明に係る自動販売機は、商品払い出し部の底板に、上側の全囲に断面略円弧状の面取りが形成された排水孔が設けられているから、商品払い出し部に浸入した水滴は、排水孔に到達すると、前記面取りによって下方に引きずり込まれることになる。すなわち、排水孔を水平面と平行にスライスしたと考えた場合、各水平面における内周の長さは底板の下側になるほど短くなるため、水滴に作用する表面張力（毛管現象）は底板の下側になるほど大きくなると考えられるからである。
【００１０】
（ｉｉ）また、排水孔が、商品払い出し部の底板の下側に突出する筒状部を有するから、水滴が筒状部の下端から落下し易くなり、結果として下方への膨出が少なくなる。
（ｉｉｉ）そして、前記筒状部がバーリング加工によって形成されるから、容易かつ安価に製造することができるから、自動販売機の製造コストの低廉化に寄与する。
【００１１】
（ｉｖ）さらに、商品払い出し部の底板の下側に、少なくとも排水孔を覆う吸水シートが配置されているから、排水孔の下方または筒状部の下端に膨出しようとする水滴は吸水シートに吸収され、排水孔の内部に止まることがない。すなわち、水滴は、排水孔を確実に通過することになる。
（ｖ）さらに、筒状部の下端に当接する吸水シートが配置されているから、筒状部に浸入した水滴は吸水シートに吸収され、筒状部の内部に止まることがない。すなわち、水滴は、排水孔を確実に通過することになる。            
【発明を実施するための最良の形態】
【００１２】
（自動販売機）
図１および図２は本発明の実施の形態に係る自動販売機の構成を模式的に示すものであって、図１は側面視の断面図、図２は正面視の断面図である。図１および図２において、自動販売機１０００は、前面が開口している筐体１０と、該前面を開閉自在な前面扉２０によって形成されている。筐体１０の内部は仕切り板２ａｂ、２ｂｃによって、商品収納庫１ａ、１ｂ、１ｃに仕切られ、商品収納庫１ａ、１ｂ、１ｃには商品を収納する商品ラック３ａ、３ｂ、３ｃが、それぞれ設置されている。
【００１３】
そして、商品ラック３ａ、３ｂ、３ｃから落下した商品Ｓを前面扉２０に設けられた商品取り出し部１００に搬送する略水平に設置されたコンベア４ａ、４ｂ、４ｃと、傾斜した商品シュータ６ａ、６ｂ、６ｃと、コンベア４ａ、４ｂ、４ｃの下方に熱交換室５ａ、５ｂ、５ｃが、それぞれ設置されている。
なお、以下の説明および図において、商品収納庫１ａ、１ｂ、１ｃにそれぞれ設置された装置について共通する内容は、添え字「ａ、ｂ、ｃ」を省略し、例えば、商品収納庫１あるいは商品ラック３と称呼または記載する場合がある。
【００１４】
（熱交換手段）
商品収納庫１の背面１４の一部と略平行に循環ダクト板１７が設置され、背面１４と循環ダクト板１７との間に循環ダクト１６が形成され、循環ダクト板１７の下部には開口した循環ダクト吹出口１９が形成されている。そして、コンベア４には、循環ダクト吹出口１９に連通して、冷却ユニット５０を構成する蒸発器５５と、ファン５７と、ヒータ５８とを収容する熱交換室５が床面１５に設置されている。したがって、循環ダクト１６内の空気はファン５７によって吸引され、順次、蒸発器５５およびヒータ５８を通過して図中、右から左に向かって送り出されることになる。
【００１５】
冷却ユニット５０は、冷媒を圧縮する圧縮機５１と、圧縮機５１によって圧縮された高圧冷媒を凝縮する凝縮器５２と、凝縮器５２に大気を送風する送風機５３と、凝縮器５２によって凝縮された高圧冷媒を各商品収納庫１に振り分ける電磁弁（図示しない）と、振り分けられた高圧冷媒を減圧する膨張機構（電子膨張弁、キャピラリーチューブ等）５４と、膨張機構５４を経由して供給された低温低圧冷媒を蒸発させる蒸発器５５（正確には、それぞれ各商品収納庫１内に配置された蒸発器５５ａ、５５ｂ、５５ｃ）と、蒸発器５５において加熱された低圧冷媒を集積するアキュムレータ（図示しない）と、これらの機器を連結する冷媒配管５６とを具備する。
【００１６】
（商品払い出し部）
図３〜図５は本発明の実施の形態に係る自動販売機における商品払い出し部を示すものであって、前面扉を内側から観た斜視図、図４は側面視の断面図、図５は一部を拡大して示す断面図である。
図３および図４において、商品取り出し部１００は、前面扉２０の下端に近い位置に設けられた空間である。商品取り出し部１００は、前面１２の下端に近い位置に形成された商品取り出し口１１０と、商品取り出し口１１０を開閉する、上縁が回動自在に軸支された商品取り出し部外扉１２０と、商品取り出し部外扉１２０の内側（筐体１０側）に回動自在に軸支された商品取り出し部内扉１３０と、商品取り出し口１１０の下側で前面１２の内側（筐体１０側）に固定された商品取り出し部底板１４０と、商品取り出し部底板１４０の内側に立設された（折り曲げられた）取り出し部内板１５０と、を有している。
【００１７】
すなわち、前面１２の商品取り出し口１１０より下の範囲と、商品取り出し部底板１４０と、商品取り出し部内板１５０と、によって、前面扉２０の略全幅に渡った断面略Ｕ字状の商品払い出し部１６０が形成されている。
したがって、コンベア４ａ、４ｂ、４ｃによって搬送された商品Ｓは、商品シュータ６ａ、６ｂ、６ｃを滑り落ち、商品払い出し部１６０に払い出される。
なお、商品取り出し口１１０が、商品収納庫１ａ、１ｂに対応する範囲と、商品収納庫１ｃに対応する範囲と、でそれぞれ別個に形成されているため、これに対応して、商品取り出し部内扉１３０、商品取り出し部底板１４０、商品払い出し部１６０は、それぞれ別個に設置されている。
【００１８】
（排水孔）
図５において、商品取り出し部底板１４０には、複数の排水孔１７０が形成されている。排水孔１７０は、商品払い出し部底板１４０の上側の全囲に断面略円弧状の排水孔面取り部１７１が形成され、下側に突出する排水孔筒状部１７２を有している。
そして、排水孔筒状部１７２の下端に当接するように、吸水シート１８０が設置されている。さらに、商品取り出し部底板１４０に平行して、吸水シート１８０を収納する吸水シート受け板１９０が、前面１２の内側に設置されている。
【００１９】
したがって、筐体１０内で結露した水滴が商品払い出し部１６０に浸入した場合、排水孔１７０に到達した水滴は、排水孔面取り部１７１によって下方に引きずり込まれることになる。すなわち、排水孔１７０を商品取り出し部底板１４０の表面と平行にスライスしたと考えた場合、排水孔面取り部１７１の各スライス面における内周の長さは下側になるほど短くなるため、水滴に作用する表面張力（毛管現象）は下側になるほど大きくなると考えられるからである。
【００２０】
さらに、下側に突出する排水孔筒状部１７２の下端には、吸水シート１８０が当接しているから、排水孔筒状部１７２の下端に到達した水滴は吸水シート１８０に吸収され、排水孔１７０の内部に止まることがない。すなわち、水滴は、排水孔１７０を確実に通過することになる。したがって、商品払い出し部底板１４０に水滴が停留（残留）することがないから、払い出された商品Ｓに水滴が付着することがなくなる。
なお、吸水シートは商品取り出し部底板１４０と吸水シート受け板１９０とに挟まれるように収納されているから、吸水シート１８０に吸収された水滴が漏れて、前面扉２０の外に滴下することがない。
【００２１】
本発明は排水孔１７０の形成要領を限定するものではないが、例えば、商品取り出し部底板１４０を０．３ｍｍ厚さのポリエチレン（ＰＥ）シートにして、これに「バーリング加工」によって排水孔を形成すれば、前記形状を容易かつ安価に具現化することができると共に、排水孔筒状部１７２の下端を確実に吸水シートに当接ないし食い込ませることができ、前記排水効果がより確実になる。このとき、排水孔の内径が１ｍｍ程度であっても、水滴は確実に通過することが、実験によって検証されている。
【００２２】
なお、商品取り出し部底板１４０の厚さが比較的厚い場合には、排水孔面取り部を形成するだけで、排水孔筒状部を形成しなくても、また、排水孔筒状部１７２の長さが比較的長い場合には、吸水シート１８０の設置を省略しても、排水孔１７０に水滴を停留させないことが可能である。
【００２３】
以上のように、本発明は排水孔の形態に特徴を有するものであるから、自動販売機の
型式や商品払い出し部等は、実施の形態に示すものに限定するものではない。例えば、搬送手段（コンベア）が傾斜したもの、あるいは、商品を常温で収納するもの（加熱手段や冷却手段を具備しないもの）であってもよい。
【産業上の利用可能性】
【００２４】
本発明は以上の構成であるから、商品取り出し部に浸入した水滴を確実に排出することができるから、各種自動販売機として広く利用することができる。
【図面の簡単な説明】
【００２５】
【図１】本発明の実施の形態に係る自動販売機の構成を示す側面視の断面図。
【図２】本発明の実施の形態に係る自動販売機の構成を示す正面視の断面図。
【図３】図１に示す自動販売機における商品払い出し部を示す斜視図。
【図４】図１に示す自動販売機における商品払い出し部を示す側面視の断面図。
【図５】図１は示す自動販売機における商品払い出し部を示す一部の拡大断面図。
【符号の説明】
【００２６】
１ 商品収納庫
２ 仕切り板
３ 商品ラック
４ コンベア
５ 熱交換室
６ 商品シュータ
１０ 筐体
１２ 前面
１４ 背面
１５ 床面
１６ 循環ダクト
１７ 循環ダクト板
１９ 循環ダクト吹出口
２０ 前面扉
５０ 冷却ユニット
５１ 圧縮機
５２ 凝縮器
５３ 送風機
５４ 膨張機構
５５ 蒸発器
５６ 冷媒配管
５７ ファン
５８ ヒータ
１００ 商品取り出し部
１１０ 商品取り出し口
１２０ 商品取り出し部外扉
１３０ 商品取り出し部内扉
１４０ 商品取り出し部底板
１５０ 商品取り出し部内板
１６０ 商品払い出し部
１７０ 排水孔
１７１ 排水孔面取り部
１７２ 排水孔筒状部
１８０ 吸水シート
１９０ 吸水シート受け板
１０００ 自動販売機
Ｓ 商品
【図１】
2009140131.tif 000003
【図２】
2009140131.tif 000004
【図３】
2009140131.tif 000005
【図４】
2009140131.tif 000006
【図５】
2009140131.tif 000007